(57)【要約】【課題】  輸送時又は搬送時における外観上の不具合の発生を抑制することができるとともに、商品の包装に係るコスト及び手間を抑えることができるケースを提供する。【解決手段】  ケース１０は、本体ケース１１と、保護部２１とを有しており、該保護部２１によって本体ケース１１の底面部、一対の長側面部及び蓋部が外面から覆われて保護されるとともに、該保護部２１を構成する蓋保護部２２、第１側面保護部２３ａ、第２側面保護部２３ｂ、底面保護部２４、第１止着片２５及び第２止着片２６は、本体ケース１１の一対の長側面部からそれぞれ延設されたものであり、輸送時又は搬送時には本体ケース１１を覆うようにスリーブ状に組み立てられ、輸送後又は搬送後には本体ケース１１から切り離されるようになっている。【選択図】      図２
2009184710.tif 000002
【特許請求の範囲】
【請求項１】
シート材料を折り曲げることによって箱状に形成され、その内部に商品を収容可能に構成されたケースであって、
平面視で四角形状をなす底面部と、該底面部の周縁に立設された４つの側面部と、該底面部に対向して配置された平面視で四角形状をなす蓋部とを備える本体ケースを有し、
該本体ケースにおいては、上記底面部が上記４つの側面部のうちの１つである第１の側面部の下端縁から延設されたものであり、上記蓋部が該第１の側面部の対向位置に存在する側面部である第２の側面部の上端縁から延設されたものであることとして、
上記第１の側面部の上端縁から蓋保護部が延設され、該蓋保護部の端縁から更に第１側面保護部が延設され、該第１側面保護部の端縁から更に第１止着片が延設されており、
上記第２の側面部の下端縁から底面保護部が延設され、該底面保護部の端縁から更に第２側面保護部が延設され、該第２側面保護部の端縁から更に第２止着片が延設されており、
上記蓋保護部、上記第１側面保護部及び上記第１止着片が各部の境界でそれぞれ折曲げられて、上記蓋保護部が上記蓋部の外面を、上記第１側面保護部が上記第２の側面部の外面を被覆しており、
上記底面保護部、上記第２側面保護部及び上記第２止着片が各部の境界でそれぞれ折曲げられて、上記底面保護部が上記底面部の外面を、上記第２側面保護部が上記第１の側面部の外面を被覆しており、
上記第１止着片は、上記底面保護部の縁部に被せた状態で該底面保護部に接着され、上記第２止着片は、上記蓋保護部の縁部に被せた状態で該蓋保護部に接着されている
ことを特徴とするケース。
【請求項２】
上記第１の側面部と上記蓋保護部との間にはミシン目が設けられ、
上記第２の側面部と上記底面保護部との間にはミシン目が設けられ、
上記第１側面保護部と上記第１止着片との間、及び上記第２側面保護部と上記第２止着片との間にはミシン目または切溝が設けられている
請求項１に記載のケース。
【請求項３】
上記４つの側面部のうち１つの側縁からは、側面部同士を繋ぐための糊代が延設されている
請求項１または請求項２に記載のケース。
【請求項４】
上記底面部の端縁からは、該底面部と上記第２の側面部との間を繋ぐための糊代が延設されている
請求項１から請求項３のいずれか１項に記載のケース。
【発明の詳細な説明】
【技術分野】
【０００１】
本発明は、靴、服飾品、電化製品等といった商品の包装容器として使用されるケースに関する。
【背景技術】
【０００２】
従来、商品は、厚紙、コート紙、クラフト紙等のシート材料からなる個装ケースに収容したうえ、例えば特許文献１に示すようなダンボール箱等の外装ケースで複数の該個装ケースを梱包し、該外装ケース単位でまとめて大量に輸送、搬送している。
一方、商品の個数が足りない、不良品の交換等の場合には、１個又はごく少量の商品を個別に輸送、搬送する必要があり、このような場合には、該商品を個装ケースに収容し、該個装ケース単位で輸送、搬送している。
【０００３】
【特許文献１】実開昭６２−１７５２１号公報
【発明の開示】
【発明が解決しようとする課題】
【０００４】
ところが、上記従来のように個装ケース単位で輸送、搬送する場合、輸送、搬送の途中で該個装ケースの汚損、破損、つぶれ等が発生したり、輸送先、搬送先を記入した荷札が該個装ケースに貼着されたままとなってしまったりして、該個装ケースの外観上の不具合が発生することが多々あった。このため、該個装ケースを保護するべく、該個装ケースとは別の専用ケースに該個装ケースを入れることにより、個装ケースと専用ケースの二重包装で商品を輸送、搬送等しているが、コスト高騰の元になるとともに、包装作業に手間を要するという問題があった。
なお、上記個装ケースは、消費者もとの間で商品をアピールすべくデザイン性の高いものとなっていることが多く、店舗等では商品と一緒に個装ケースを飾ったり、該個装ケースを陳列したりしている。
【０００５】
本発明は、このような従来技術に存在する問題点に着目してなされたものである。その目的とするところは、輸送時又は搬送時における外観上の不具合の発生を抑制することができるとともに、商品の包装に係るコスト及び手間を抑えることができるケースを提供することにある。
【課題を解決するための手段】
【０００６】
上記の目的を達成するために、請求項１に記載のケースの発明は、
シート材料を折り曲げることによって箱状に形成され、その内部に商品を収容可能に構成されたケースであって、平面視で四角形状をなす底面部と、該底面部の周縁に立設された４つの側面部と、該底面部に対向して配置された平面視で四角形状をなす蓋部とを備える本体ケースを有し、該本体ケースにおいては、上記底面部が上記４つの側面部のうちの１つである第１の側面部の下端縁から延設されたものであり、上記蓋部が該第１の側面部の対向位置に存在する側面部である第２の側面部の上端縁から延設されたものであることとして、上記第１の側面部の上端縁から蓋保護部が延設され、該蓋保護部の端縁から更に第１側面保護部が延設され、該第１側面保護部の端縁から更に第１止着片が延設されており、上記第２の側面部の下端縁から底面保護部が延設され、該底面保護部の端縁から更に第２側面保護部が延設され、該第２側面保護部の端縁から更に第２止着片が延設されており、上記蓋保護部、上記第１側面保護部及び上記第１止着片が各部の境界でそれぞれ折曲げられて、上記蓋保護部が上記蓋部の外面を、上記第１側面保護部が上記第２の側面部の外面を被覆しており、上記底面保護部、上記第２側面保護部及び上記第２止着片が各部の境界でそれぞれ折曲げられて、上記底面保護部が上記底面部の外面を、上記第２側面保護部が上記第１の側面部の外面を被覆しており、上記第１止着片は、上記底面保護部の縁部に被せた状態で該底面保護部に接着され、上記第２止着片は、上記蓋保護部の縁部に被せた状態で該蓋保護部に接着されていることを要旨とする。
【０００７】
上記構成によれば、上記蓋保護部が上記蓋部の外面を、上記第１側面保護部が上記第２の側面部の外面を被覆し、上記底面保護部が上記底面部の外面を、上記第２側面保護部が上記第１の側面部の外面を被覆している。このため、該商品を包装する本体ケースは、その輸送時又は搬送時に蓋部、第２の側面部、底面部、及び第１の側面部のそれぞれの外面が汚損される等のような、外観上の不具合の発生を抑制される。また蓋保護部、第１側面保護部及び第１止着片（以下、「蓋保護部等」とも記載する）は第１の側面部の上端縁から延設されたものであり、底面保護部、第２側面保護部及び第２止着片（以下、「底面保護部等」とも記載する）は第２の側面部の下端縁から延設されたものであり、輸送又は搬送のために該ケースとは別の専用ケース等を用意する必要がない。このため、コスト高騰を抑制することができるとともに、包装作業に係る手間を簡易なものとすることができる。さらにまた、蓋保護部等及び底面保護部等を取り除くことにより、店舗等での陳列時、商品引き渡し時等においては、デザイン性の高い蓋部、側面部等を簡易に表に出すことができる。
【０００８】
請求項２に記載の発明は、請求項１に記載のケースの発明において、上記第１の側面部と上記蓋保護部との間にはミシン目が設けられ、上記第２の側面部と上記底面保護部との間にはミシン目が設けられ、上記第１側面保護部と上記第１止着片との間、及び上記第２側面保護部と上記第２止着片との間にはミシン目または切溝が設けられていることを要旨とする。
上記構成によれば、ミシン目を設けたことにより、ケースから蓋保護部等及び底面保護部等を容易に切除することができる。また上記第１側面保護部と上記第１止着片との間、及び上記第２側面保護部と上記第２止着片との間にはミシン目または切溝が設けられているため、第１止着片及び第２止着片が底面保護部及び蓋保護部に接着された状態であっても、第１側面保護部及び第２側面保護部から該第１止着片及び該第２止着片を切り離すことで、容易に開封することができる。
【０００９】
請求項３に記載の発明は、請求項１又は請求項２に記載のケースの発明において、上記４つの側面部のうち１つの側縁からは、側面部同士を繋ぐための糊代が延設されていることを要旨とする。
上記構成によれば、シート材料を打抜き等することによって糊代を形成することができるため、該糊代を別途用意したり、側面部の側縁同士を位置合わせしながら粘着テープ等で接合したり等する必要がなく、ケースを簡単に組み立てることが出来るようになる。
【００１０】
請求項４に記載の発明は、請求項１から請求項３のいずれか１項に記載のケースの発明において、上記底面部の端縁からは、該底面部と上記第２の側面部との間を繋ぐための糊代が延設されていることを要旨とする。
上記構成によれば、シート材料を打抜き等することによって底面部と第２の側面部との間を繋ぐ糊代を形成することができるため、該糊代を別途用意したり、底面部と第２の側面部の端縁同士を位置合わせしながら粘着テープ等で接合したり等する必要がなく、ケースを簡単に組み立てることが出来るようになる。
【発明の効果】
【００１１】
本発明によれば、輸送時又は搬送時における外観上の不具合の発生を抑制することができるとともに、商品の包装に係るコスト及び手間を抑えることができるケースを提供することができる。
【発明を実施するための最良の形態】
【００１２】
以下、本発明を具体化した一実施形態について説明する。
図１は、ケース１０の本体ケース１１を示す斜視図である。ケース１０は、本体ケース１１を有している。この本体ケース１１は、平面視で四角形状をなす底面部１２と、該底面部１２の周縁に立設された４つの側面部１３ａ〜１３ｄと、該底面部１２に対向して配置された平面視で四角形状をなす蓋部１４とを備えている。４つの側面部１３ａ〜１３ｄは、第１の側面部である第１長側面部１３ａと、該第１の側面部の対向位置に存在する第２の側面部である第２長側面部１３ｂと、互いに対向する第１短側面部１３ｃ及び第２短側面部１３ｄとからなる。なお、図１中で手前側が第１長側面部１３ａと第１短側面部１３ｃであり、奥側が第２長側面部１３ｂと第２短側面部１３ｄである。そして、上記蓋部１４は、上記第２長側面部１３ｂとヒンジ状に繋がっており、回動することによって本体ケース１１の上面開口を開放又は閉塞することができるようになっている。
第１短側面部１３ｃ及び第２短側面部１３ｄにおいては、上下両端縁からフラップ１５がそれぞれ延設されている。これらフラップ１５のうち、下端縁から延設されたものは、第１短側面部１３ｃ又は第２短側面部１３ｄと底面部１２とを接着するための糊代として使用されている。蓋部１４の先端縁からは差込片１６が延設されている。該差込片１６は、第１短側面部１３ｃ及び第２短側面部１３ｄの上端縁から延設されたフラップ１５と第１長側面部１３ａとの間の隙間に差し込まれることにより、蓋部１４が本体ケース１１の上面開口を閉塞した状態を保持するようになっている。また上記底面部１２の端縁からは糊代１７が延設されており、該糊代１７によって該底面部１２と上記第２長側面部１３ｂとの間が繋がれている。
上記本体ケース１１においては、底面部１２と、第１長側面部１３ａ及び第２長側面部１３ｂと、第１短側面部１３ｃ及び第２短側面部１３ｄとによって囲まれた内部に商品を収容するための収容空間が形作られている。そして、本体ケース１１は、その内部の収容空間に商品が収容された状態で、蓋部１４によって上面開口が閉塞されることにより、商品を包装する包装容器として用いられる。ここで、上記商品としては、例えば靴、衣服、アクセサリー、財布、ベルト、バッグ、電化製品等が挙げられる。
【００１３】
図２は、輸送時又は搬送時におけるケース１０を示す斜視図である。輸送時又は搬送時のケース１０において、本体ケース１１は、スリーブ状をなす保護部２１により、一部を除く外面を保護されている。該保護部２１は、蓋部１４の外面を被覆する蓋保護部２２と、第２長側面部１３ｂの外面を被覆する第１側面保護部２３ａと、底面部１２の外面を被覆する底面保護部２４と、第１長側面部１３ａの外面を被覆する第２側面保護部２３ｂとを備えている。
ケース１０において、本体ケース１１の第１短側面部１３ｃ及び第２短側面部１３ｄは、保護部２１によってそれぞれの外面を被覆されることなく外部に露出されている。これは、本体ケース１１によって包装された商品の判別を簡易なものとするためである。すなわち、包装容器である本体ケース１１においては多くの場合、第１短側面部１３ｃ又は第２短側面部１３ｄの少なくとも何れか一方の外面に、例えば商品が靴、衣服であればサイズ、カラー等が記載されていたり、電化製品であればカラー、諸元等が記載されていたりする。このため、第１短側面部１３ｃ及び第２短側面部１３ｄを保護部２１で覆ってしまうと、商品識別のために新たなラベル等を貼付する必要があり、却って梱包作業が煩わしいものとなってしまう。
第１側面保護部２３ａと底面保護部２４との間には、第１止着片２５が設けられている。該第１止着片２５は、第１側面保護部２３ａの端縁から延設されたものであり、底面保護部２４の縁部に被せた状態で粘着テープ、接着剤、糊等を用いて該底面保護部２４に接着されている。第２側面保護部２３ｂと蓋保護部２２との間には、第２止着片２６が設けられている。該第２止着片２６は、第２側面保護部２３ｂの端縁から延設されたものであり、蓋保護部２２の縁部に被せた状態で粘着テープ、接着剤、糊等を用いて該蓋保護部２２に接着されている。また第１止着片２５と第１側面保護部２３ａとの間、及び第２止着片２６と第２側面保護部２３ｂとの間には、ミシン目２７が設けられており、保護部２１を取り除く際、第１止着片２５と第１側面保護部２３ａとの間、及び第２止着片２６と第２側面保護部２３ｂとの間が切り離しやすくなるように構成されている。
【００１４】
図３は、ケース１０の展開図を示している。該ケース１０は、シート材料を所定形状に切り出し、その切り出されたシート材料を折ることによって組み立てられている。該シート材料に使用する材料としては、押し切り、プレス等の方法によって切断可能なものが好ましい。このような材料として、ボール紙、コート紙、再生紙などの紙類、合成樹脂フィルム、合成樹脂シート、エラストマーシート、ゴムシートなどの合成樹脂、布等が挙げられる。また、紙の表面に合成樹脂フィルム、あるいは布を貼り合わせる等してもよい。
展開状態のケース１０において、４つの側面部１３ａ〜１３ｄは、図３中で右側から第１長側面部１３ａ、第１短側面部１３ｃ、第２長側面部１３ｂ、第２短側面部１３ｄの順番で横並びに配設されている。
第１長側面部１３ａにおいて、その下端縁からは底面部１２が延設されている。また第１長側面部１３ａの上端縁からは蓋保護部２２が延設されている。該蓋保護部２２の先端縁からは第１側面保護部２３ａが延設され、さらに第１側面保護部２３ａの先端縁からは第１止着片２５が延設されている。これら第１長側面部１３ａ、底面部１２、蓋保護部２２、第１側面保護部２３ａ及び第１止着片２５は、横幅（図３中で横方向の長さ）が全て同じ長とされている。
第２長側面部１３ｂにおいて、その上端縁からは蓋部１４が延設されている。また第２長側面部１３ｂの下端縁からは底面保護部２４が延設されている。該底面保護部２４の先端縁からは第２側面保護部２３ｂが延設され、さらに第２側面保護部２３ｂの先端縁からは第２止着片２６が延設されている。これら第２長側面部１３ｂ、蓋部１４、底面保護部２４、第２側面保護部２３ｂ及び第２止着片２６は、横幅が全て同じ長とされている。
【００１５】
展開状態のケース１０において、底面部１２の下端縁中央からは、該底面部１２を第２長側面部１３ｂと接着するための糊代１７が延設されている。第２短側面部１３ｄの側縁からは、該第２短側面部１３ｄを第１長側面部１３ａと接着するための糊代１７が延設されている。第１短側面部１３ｃ及び第２短側面部１３ｄにおいて、各々の上下両端縁からは、フラップ１５がそれぞれ延設されている。
第１長側面部１３ａと蓋保護部２２との境界となる部分には、ミシン目２７が設けられている。第１側面保護部２３ａと第１止着片２５との境界となる部分には、ミシン目２７が設けられている。また第２長側面部１３ｂと底面保護部２４との境界となる部分には、ミシン目２７が設けられている。第２側面保護部２３ｂと第２止着片２６との境界となる部分には、ミシン目２７が設けられている。
すなわち、これらミシン目２７を用いることにより、第１長側面部１３ａから蓋保護部２２を、又は第１側面保護部２３ａから第１止着片２５を、又は第２長側面部１３ｂから底面保護部２４を、又は第２側面保護部２３ｂから第２止着片２６を簡単に切り離すことができるようになっている。
【００１６】
上記ケース１０は、図３に示した展開状態から各部における境界の部分を折り曲げ、２つの糊代１７と２つのフラップ１５とをそれぞれ対応する部位に接着することにより、本体ケース１１が組み立てられ、その内部へ商品を収容可能となる。さらに商品を収容した後、蓋保護部２２等で蓋部１４等を覆いつつ、底面保護部２４等で底面１２等を覆った状態として、第１止着片２５及び第２止着片２６をそれぞれ対応する部位に接着することにより、図２に示したように保護部２１が組み立てられ、運搬、搬送等される。
輸送時、搬送時等において、本体ケース１１は、保護部２１によって覆われることにより、蓋部１４、第２長側面部１３ｂ、底面部１２、及び第１長側面部１３ａのそれぞれの外面が汚損される等のような、外観上の不具合の発生を抑制される。特に運搬先、搬送先等を示すラベルを貼付する場合、このようなラベルを該保護部２１に貼付しておけば、ラベルを綺麗に剥がす等の作業が必要なくなり、ラベルを剥がすことによって本体ケース１１表面の印刷が剥がれる等の不具合も防止される。
また保護部２１を構成する蓋保護部２２等は、第１長側面部１３ａの上端縁から延設されたものであり、底面保護部２４等は、第２長側面部１３ｂの下端縁から延設されたものである。従って、輸送又は搬送のために本体ケース１１とは別の専用ケース等を用意する必要がなく、コスト高騰が抑制されるとともに、包装作業に係る手間が簡易なものとなる。
【００１７】
上記ケース１０を開封する際には、図４に示すように、ミシン目２７を用いて第１側面保護部２３ａから第１止着片２５を切り離すとともに、第２側面保護部２３ｂから第２止着片２６を切り離す。この状態において、蓋保護部２２と第１側面保護部２３ａ、及び底面保護部２４と第２側面保護部２３ｂは、本体ケースに対してヒンジ状に回動可能となり、図５に示すように、これらを回動させて第１長側面部１３ａと蓋保護部２２の間のミシン目２７、及び第２長側面部１３ｂと底面保護部２４の間のミシン目２７を外部に露出させる。その後、これらミシン目２７を用いて第１長側面部１３ａから蓋保護部２２を切り離すとともに、第２長側面部１３ｂから底面保護部２４を切り離すことにより、ケース１０から保護部２１が除去され、本体ケース１１とする。従って、本体ケース１１の店舗等での陳列時、商品引き渡し時等においては、保護部２１を取り除くことにより、デザイン性の高い蓋部１４、第１長側面部１３ａ、第２長側面部１３ｂ等を簡易に表に出すことができる。
【００１８】
なお、本発明のケースは、上記実施形態の構成に限定されるものではなく、例えば次のように変更して具体化することも可能である。
第１側面保護部２３ａと第１止着片２５の間、及び第２側面保護部２３ｂと第２止着片２６の間は、必ずしもミシン目２７とする必要はなく、これらの境界部分で切断可能であれば、図６に示すように、折り目２７Ａとしてもよく、その他にも切込み等としてもよい。すなわち、保護部２１は本体ケース１１を保護するものであり、除去されるものであるから、上記各部位の境界部分を厳密かつ正確に切り離す必要はなく、切り損ねても何等問題とはならない。
２つのうち少なくとも何れか一方の糊代１７を省略してもよい。また底面部１２の端縁から延設された糊代１７は、底面部１２と同じ横幅としてもよい。
第１の側面部を第１短側面部１３ｃとし、第２の側面部を第２短側面部１３ｄとして、第１短側面部１３ｃ及び第２短側面部１３ｄを保護するように構成してもよい。この場合、第１長側面部１３ａ及び第２長側面部１３ｂが保護部２１によって保護されることなく外部に露出される構成となる。例えば、第１長側面部１３ａ又は第２長側面部１３ｂの少なくとも何れか一方に商品を識別するラベル等が調布されている場合、このように構成することが好ましい。
【図面の簡単な説明】
【００１９】
【図１】実施形態の本体ケースを示す斜視図。
【図２】実施形態のケースを示す斜視図。
【図３】実施形態のケースを示す展開図。
【図４】実施形態のケースを開封する状態を示す斜視図。
【図５】実施形態のケースを開封する状態を示す斜視図。
【図６】別形態のケースを示す展開図。
【符号の説明】
【００２０】
１０    ケース
１１    本体ケース
１２    底面部
１３ａ  第１の側面部である第１長側面部
１３ｂ  第２の側面部である第２長側面部
１４    蓋部
１７    糊代
２２    蓋保護部
２３ａ  第１側面保護部
２３ｂ  第２側面保護部
２４    底面保護部
２５    第１止着片
２６    第２止着片
２７    ミシン目
【図１】
2009184710.tif 000003
【図２】
2009184710.tif 000004
【図３】
2009184710.tif 000005
【図４】
2009184710.tif 000006
【図５】
2009184710.tif 000007
【図６】
2009184710.tif 000008